(57)【要約】　　　（修正有）【課題】従来、診療用所等では必要時に患者や医師、看護婦等のプライバシイを保護し、他時開放感を得るには、カーテンの開閉、パーティションの移動等によっていたが、床面積と機材と操作を要しまた、清潔さ、操作性、音の発生等の問題があった。さらに診療用キャビネットの配置は開放を妨げない位置に限定され所内の有効利用率が悪い。これらの課題を解決する背高診療用キャビネットを提供する。【解決手段】複数の隣接するチェアユニット３ａ，３ｂ，３ｃとの間に設置された歯科診療用キャビネット２ａ，２ｂ，２ｃで、診療用、技工用機材の戴置及び作業台、事務机兼用の水平面を備えた天板１１と、その後方に立設された透明、非透明を制御できる調光ガラスを備えた背板６と、下部に上記機材の格納、整理棚１０を付設してなる歯科診療用キャビネット。【選択図】図１
2004024534.tif 000002
【特許請求の範囲】
【請求項１】
複数の隣接された歯科用チェアユニットとの間に設置されてなる歯科診療用キャビネットであって、
該診療用キャビネットは、診療用機材、技工用機材の裁置及び、作業台、事務机を兼用する水平面を備えた天板と、
前記天板の後方に立設された調光ガラスを備えた背板を、有してなる背高診療キャビネットであることを特徴とする歯科診療用キャビネット。
【請求項２】
歯科用チェアユニットの長手方向に平行し、また、チェアユニットのブラケットテーブルが、キャビネットの中央下部に出し入れできる場所に配設され、かつ、隣接する歯科用チェアユニットとの間に設置されてなる歯科診療用キャビネットであって、
該診療用キャビネットは、診療用機材、技工用機材の裁置及び、作業台、事務机を兼用する水平面を備えた天板と、
前記天板の後方に立設された調光ガラスを備えた背板と、
また、前記天板の中央下部は、前記チェアユニットのブラケットテーブルが出し入れできるスぺースを有してなる背高診療キャビネットであることを特徴とする歯科診療用キャビネット。
【請求項３】
背板の一部を調光ガラスで構成したことを特徴とする請求項１又は２に記載の歯科診療用キャビネット。
【請求項４】
背板の調光ガラスは、常時透明であり、歯科用チェアユニットのチェアに患者が着座したとき、非透明に変化することを特徴とする請求項１〜３のいずれか１項に記載の歯科診療用キャビネット。
【請求項５】
背板の調光ガラスは、常時透明であり、施術者の制御スイッチの操作により非透明に変化することを特徴とする請求項１〜３のいずれか１項に記載の歯科診療用キャビネット。
【請求項６】
天板の左又は右下部あるいは、左右両下部に、診療用機材、技工用機材の格納部又は整理棚を備えてなることを特徴とする請求項１〜５のいずれか１項に記載の歯科診療用キャビネット。
【請求項７】
請求項６に記載の格納部又は整理棚が、単体として独立し、
オプションとして本体に付設できることを特徴とする歯科診療用キャビネット。
【発明の詳細な説明】
【０００１】
【発明の属する技術分野】本発明は歯科診療用キャビネットに係り、特に複数の隣接したチェアユニット間に配置され、かつキャビネットの背板に調光ガラスを備えた診療用キャビネットに関する。
【０００２】
【従来の技術】診療所等では患者や医師、看護婦等のプライバシーを守るため主にカーテンやパーティションを使用して、必要に応じて隣接のチェアユニットとの間を遮蔽し、また必要がないときは室内を広く見せ開放感を得るためにカーテンを開けたり、パーティションの移動や、調光ガラスを用いたパーティションを使用していた。
また、診療用キャビネットは背板が壁状の板よりなるため、前記遮蔽、開放
の妨げにならない位置に配置されていた。
【０００３】
【発明が解決しようとする課題】しかしながら、前記カーテンやパーティションを使用すると、そのための床面積と、機材と、操作を必要とし、かつ清潔さの維持、操作性、音の発生等の問題があり、また診療用キャビネットの配置場所に制限があって、診療所内のスペースファクタもよくなかった。
本発明はこれらの課題を解決する診療用キャビネットを提供する。
【０００４】
【課題を解決するための手段】上記に鑑み本発明者等は鋭意研究実験の結果下記の手段によりこれらの課題を解決した。
（１）複数の隣接された歯科用チェアユニットとの間に設置されてなる歯科診療用キャビネットであって、該診療用キャビネットは、診療用機材、技工用機材の裁置及び、作業台、事務机を兼用する水平面を備えた天板と、前記天板の後方に立設された調光ガラスを備えた背板を、有してなる背高診療キャビネットであることを特徴とする歯科診療用キャビネット。
（２）歯科用チェアユニットの長手方向に平行し、また、チェアユニットのブラケットテーブルが、キャビネットの中央下部に出し入れできる場所に配設され、かつ、隣接する歯科用チェアユニットとの間に設置されてなる歯科診療用キャビネットであって、該診療用キャビネットは、診療用機材、技工用機材の裁置及び、作業台、事務机を兼用する水平面を備えた天板と、前記天板の後方に立設された調光ガラスを備えた背板と、また、前記天板の中央下部は、前記チェアユニットのブラケットテーブルが出し入れできるスぺースを有してなる背高診療キャビネットであることを特徴とする歯科診療用キャビネット。
【０００５】
（３）背板の一部を調光ガラスで構成したことを特徴とする前項（１）又は（２）に記載の歯科診療用キャビネット。
（４）背板の調光ガラスは、常時透明であり、歯科用チェアユニットのチェアに患者が着座したとき、非透明に変化することを特徴とする前項（１）〜（３）のいずれか１項に記載の歯科診療用キャビネット。
（５）背板の調光ガラスは、常時透明であり、施術者の制御スイッチの操作により非透明に変化することを特徴とする前項（１）〜（３）のいずれか１項に記載の歯科診療用キャビネット。
（６）天板の左又は右下部あるいは、左右両下部に、診療用機材、技工用機材の格納部又は整理棚を備えてなることを特徴とする前項（１）〜（５）のいずれか１項に記載の歯科診療用キャビネット。
（７）前項（６）に記載の格納部又は整理棚が、単体として独立し、オプションとして本体に付設できることを特徴とする歯科診療用キャビネット。
【０００６】
【発明の実施の形態】本発明の実施の形態を図面に基づいて以下に説明する。
図１は、背板に調光ガラスを使用した背高診療用キャビネットを複数の歯科診療用チェアユニット間に配置した時の俯瞰図であり、図２は、診療用キャビネットの外観斜視図、図３は、診療用キャビネットとブラケットテーブルとの関連図である。
図において、１は診療所の外壁、２ａ〜２ｃは診療用キャビネット、３ａ〜３ｃはチェアユニット、４ａ〜４ｃは収納時のブラケットテーブル、４ａ’〜４ｃ’、４ａ’’〜４ｃ’’は移動時のブラケットテーブル、５は座部、６は背板、７はスピットン、８はヘッドレスト、９は収納部、１０は整理棚、１１は天板、１２は多関節アーム、１３はコンセント、１４は通線孔、１５はガスバーナ、１６は側板、１９は人の出入り方向、２２は圧力センサを示す。
なお、図１中の診療用キャビネット２ａ〜２ｃは、天板１１を上から透視した時の図で、かつ、収納時のブラケットテーブル４ａ〜４ｃの位置から、多関節アーム１２によって、４ａ’〜４ｃ’ないし４ａ’’〜４ｃ’’のように引き出し移動させたとき（経時的位置を実線で示す）の配置図である。
【０００７】
図示したように複数の歯科用チェアユニット３ａ〜３ｃが平行して配置され、前記チェアユニット３ａ〜３ｃのブラケットテーブル４ａ〜４ｃを軸支する多関節アーム１２の基部１８（図２，図３）は、前記チェアユニット３ａ〜３ｃの長手方向に直交する左サイドの所定位置の床面に固定されている。
そして、上記のブラケットテーブル４ａ〜４ｃは、診療用キャビネット２ａ〜２ｃの中央下部の空隙を収納位置とし、そこから出し入れされるため、上記収納位置に合わせて診療用キャビネット２ａ〜２ｃの配設が決定する。
【０００８】
従って、上記配置における診療用キャビネット２ｃは、隣接する歯科用チェアユニット３ｂ〜３ｃ間に配置され、また診療用キャビネット２ｂは、チェアユニット３ａ〜３ｂ間に配置され、そして、診療用キャビネット２ａはチェアユニット３ａの左側の診療所の出入り口近くに配置されている。
この配置はチェアユニット３ａ〜３ｃに患者が不在の場合は診療用キャビネット２ａ〜２ｃの調光ガラスを使用した各背板６は透明である（後記）ため、人の出入り方向１９から入ってきた例えば患者は、診療用キャビネット２ａの背板６を通して室内全体を見渡すことができるため広々とした開放感が得られ、入り易い。
さらに、患者がチェアユニット３ａ〜３ｃのいずれかの座部５に着座し圧力センサ２２が働くと、前記背板６は透明から非透明に変化し（後記）、外部又は隣接のチェアユニット２ｂ〜２ｃからの視線は遮断されるため、診療時の患者のプライバシーを守ることができる、また施療する医師や助手も同様である。
なお、制御スイッチを設けて、施術者の操作により常時透明から非透明に変化させてもよい。
【０００９】
そして、患者の入場順に奥のチェアユニット３ｃから着座させ、診療するようにすれば、満席の場合を除き患者は入場時に開放感を得ることができる。
一方、前記の診療用キャビネット２ａ〜２ｃの配置は、従来のカーテンやパーティションを不要とするため、室内のスペースファクタを向上させることができる。
【００１０】
次に、前記記載の診療用キャビネット２ａ〜２ｃは次のように構成されている。
図２は、診療用キャビネットの外観斜視図、図３は、診療用キャビネットとブラケットテーブルとの関連図で、（イ）図は、正面図、（ロ）図は下面図、（ハ）図は右側面図を示す。
図において、２は診療用キャビネット、４はブラケットテーブル、４’〜４’’は移動時のブラケットテーブル、１８はアームの基部、２０は収納部扉、２１は把手を示す。
図に示したように、診療用キャビネット２は、診療用機材、技工用機材の裁置及びその作業台と事務机を兼用し多目的に使用される水平面を備えた天板１１と、該天板１１の右下部には例えば、技工用マイクロモータ、吸引装置、エアガン等を収納するための収納部及び、天板１１の左下部には例えば、可搬型の、口腔内カメラ、ディスプレイモニタ、プリンタ、制御及び説明用パソコンや、麻酔剤加温装置並びに印象材、印象材トレイ、バット、紙コップ等を収納するための複数段からなる整理棚１０とを備え、また前記天板１１の中央下部は、前記ブラケットテーブル４（図２においては仮想線）を収納しかつ、出入りさせることができるスペースを有している。
【００１１】
そして、前記天板１１の後方には、調光ガラスを使用した背板６が垂直に立設され、側板１６で左右両端を支持している。この側板１６は単なる透明のガラスでもよい。
前記調光ガラスは周知のように、熱、光、電気などの外部刺激に対応して可逆的に光透過率、光散乱性及び発色状態などを制御できる光変調材料を充填した各種のものがあるが、事例として、液晶シートを中間膜を介してフロート板ガラスで挟んで圧着し、印加電圧の制御により透明、非透明の前記可逆性を実現する調光ガラスを用いるものとする。
本事例の調光ガラスは、前記液晶シート周縁の印加用電極に非通電時は透明であり、電極に通電時には非透明（曇り）になる。
そして、前記チェアユニット３ａ〜３ｃの座部５の内部には、圧力センサ２２が配設されており（図１）、配線により前記液晶シート用の電源部に接続されているので、患者が着座すると圧力センサ２２がＯＮになって、前記電源をＯＮにし、調光ガラスは通電され非透明になる。
診療が終了し患者がチェアから降りると、前記圧力センサ２２はＯＦＦとなり、電源もＯＦＦとなるので、調光ガラスは再び透明になる。
なお、前述したように上記センサの代わりに、制御用スイッチを設け、施術者が所要時ＯＮ、ＯＦＦ操作をしてもよい。　また、光検知、熱検知等のセンサを採用し、ライトの点灯時や、近接時の人体の体温を検知して作動させるようにしてもよい（図示せず）。
【００１２】
【発明の効果】本発明によれば次のような優れた効果が発揮される。
１、本発明の請求項１の発明によれば、
複数の隣接された歯科用チェアユニットとの間に設置されてなる歯科診療用キャビネットであって、該診療用キャビネットは、診療用機材、技工用機材の裁置及び、作業台、事務机を兼用する水平面を備えた天板と、前記天板の後方に立設された制御により透明又は非透明に変化する調光ガラスを備えた背板を、有してなる背高診療キャビネットであるため、前記透明時には背板を透して室内全体を見渡すことができ広々とした開放感が得られ、また、非透明時には背板により外部又は隣接のチェアユニットからの視線は遮断され、診療時の患者や医師及び助手等のプライバシーを守ることができる。
【００１３】
２、本発明の請求項２の発明によれば、
本キャビネットは、歯科用チェアユニットの長手方向に平行し、また、チェアユニットのブラケットテーブルが、キャビネットの中央下部に出し入れできる場所に配設されかつ、隣接する歯科用チェアユニットとの間に設置されてなる歯科診療用キャビネットであり、また診療用機材、技工用機材の裁置及び、作業台、事務机を兼用する水平面を備えた天板と、天板の後方に立設された制御により透明又は非透明に変化する調光ガラスを備えた背板と、さらに天板の中央下部は、前記チェアユニットのブラケットテーブルが出し入れできるスぺースを有してなる背高診療キャビネットであり、さらに、前記診療用キャビネットは、隣接する歯科用チェアユニット間及び、最初の診療用キャビネットは診療所の出入り口近くに配置され、各チェアユニットに患者が不在の場合は、診療用キャビネットの調光ガラスを備えた各背板は透明で、出入り口方向から入ってきた例えば患者は、背板を通して室内全体を見渡すことができ広々とした開放感が得られ入り易い。
【００１４】
そして制御によるセンサが働くと、前記背板は透明から非透明に変化し、外部又は隣接のチェアユニットからの視線は遮断されるため、診療時の患者や医師や助手のプライバシーを守ることができる。
さらに患者の入場順に奥のチェアユニットから着座させ診療するようにすれば、満席の場合を除き患者は入場時に開放感を得ることができる。
一方、前記の診療用キャビネットの配置は、従来のカーテンやパーティションを不要とするため、室内のスペースファクタを向上させることができる。
また、前記診療用キャビネットは、裁置、作業、事務机を兼用する天板を備えており、施術者の作業効率がよい。
【００１５】
３、請求項３の発明によれば、
背板の一部を調光ガラスで構成したため、背板の他の部分は例えば天板と同素材で作成し、ボードとして使用でき、ディスプレイモニタ等を配設することもできる。
４、請求項４の発明によれば、
背板の調光ガラスは、常時透明であり、歯科用チェアユニットのチェアに患者が着座したとき、非透明に変化するため、自動的にチェアユニット及び診療用キャビネットの配置と診療に適した開放又は遮断効果を発揮する。
【００１６】
５、請求項５の発明によれば、
背板の調光ガラスは、常時透明であり、施術者の制御スイッチ操作により非透明に変化するため、患者の動作に関係なくチェアユニット及び診療用キャビネットの配置と診療に適した開放又は遮断効果を発揮する。
６、請求項６の発明によれば、
天板の左又は右下部あるいは、左右両下部に、診療用機材、技工用機材の格納部又は整理棚を備えてなるため、手近に診療作業ができ作業効率が向上する。
７、請求項７の発明によれば、
診療用キャビネット天板の左又は右下部あるいは、左右両下部に配設される格納部又は整理棚が単体として独立し、必要時にオプションとして本体に付設できるため、室内のレイアウトやスペースの活用を図ることができる。
【図面の簡単な説明】
【図１】背板に調光ガラスを使用した背高診療用キャビネットを複数の歯科診療用チェアユニット間に配置した時の俯瞰図
【図２】診療用キャビネットの外観斜視図
【図３】診療用キャビネットとブラケットテーブルとの関連図
【符号の説明】
１：診療所の外壁　　　　　　　　　　２：診療用キャビネット
２ａ〜２ｃ：診療用キャビネット　　　３ａ〜３ｃ：チェアユニット
４：ブラケットテーブル
４’〜４’’：移動時のブラケットテーブル
４ａ〜４ｃ：収納時のブラケットテーブル
４ａ’〜４ｃ’、４ａ’’〜４ｃ’’：移動時のブラケットテーブル
５：座部　　　　　　　　　　　　　　６：背板
７：スピットン　　　　　　　　　　　８：ヘッドレスト
９：収納部　　　　　　　　　　　　　１０：整理棚
１１：天板　　　　　　　　　　　　　１２：多関節アーム
１３：コンセント　　　　　　　　　　１４：通線孔
１５：ガスバーナ　　　　　　　　　　１６：側板
１８：アームの基部　　　　　　　　　　　　　　　　　　１９：人の出入り方向
２０：収納部扉　　　　　　　　　　　２１：把手
２２：圧力センサ
【図１】
2004024534.tif 000003
【図２】
2004024534.tif 000004
【図３】
2004024534.tif 000005